(57)【要約】【課題】  使用時には略フラットにできるとともに、小スペースに収納することができる舞台装置を提供できるようにする。【解決手段】  使用時に上下に配設される複数のパネルからなり、下方のパネルの上端部が上方のパネルの裏面に設けられたガイドレールに案内されて下方のパネルが上方のパネルの裏面側を昇降操作可能に構成するとともに、下方のパネルが所定の下方位置若しくはその近傍に下降するのに伴って、当該下方のパネルをその表面が上方のパネルの表面と面一となる方向に移動させ、下方のパネルが所定の下方位置から上方の収納位置に上昇するのに先立って、下方のパネルを上方のパネルの裏面側に移動させる移動機構を設けて構成した。【選択図】図３
2006116175.tif 000002
【特許請求の範囲】
【請求項１】
使用時に上下に配設される複数のパネルからなり、下方のパネルの上端部が、上方のパネルの裏面に設けられたガイドレールに案内されて昇降するスライダに連結され、下方のパネルが上方のパネルの裏面側を昇降操作可能に構成し、下方のパネルが所定の下方位置若しくはその近傍に下降するのに伴って、当該下方のパネルをその表面が上方のパネルの表面と面一となる方向に移動させるとともに、下方のパネルが所定の下方位置から上方の収納位置に上昇するのに先立って、下方のパネルを上方のパネルの裏面側に移動させる移動機構を設けたことを特徴とする複数パネルからなる舞台装置。
【請求項２】
ガイドレールを摺動するスライダに形成された枢支部に上端部分が枢支され、この枢支部を回動中心として揺動する揺動アームと、この揺動アームを揺動操作する操作具と、駆動装置で繰り出し若しくは巻取りされることにより操作具を介して下方のパネルを昇降させる昇降索条とを備え、揺動アームの下端部分を下方パネルの上端部若しくはその近傍部分に連結するとともに、揺動アーム以下の重心が、揺動アームの上端部分を枢支する軸受け部の中心からの垂線よりも上方のパネルの裏面から離反方向に偏寄して位置するように形成して移動機構を構成したことを特徴とする請求項１に記載の複数パネルからなる舞台装置。
【請求項３】
ガイドレールを摺動するスライダに形成された枢支部に上端部分が枢支され、この枢支部を回動中心として揺動する揺動アームと、この揺動アームを揺動操作する操作具と、駆動装置で繰り出し若しくは巻取りされることにより操作具を介して下方のパネルを昇降させる昇降索条とを備え、下方のパネルの裏面に並設された揺動アームの上端部分同士を連結固定する回動軸をスライダの軸受け部に回動可能に枢支させるとともに、回動軸に後方の斜め上方に向けて操作用ブラケットを設け、この操作用ブラケットの上端に索条を連結して移動機構を構成したことを特徴とする請求項１に記載の複数パネルからなる舞台装置。
【発明の詳細な説明】
【技術分野】
【０００１】
本発明は、演劇等の舞台で背景やセットに使用する舞台装置に関するものである。
【背景技術】
【０００２】
この種の舞台装置としては、布帛に風景や模様を施した幕状のものや、パネル（板）に風景や戸や窓等の小規模なセットを形成したものがある。
幕状のものでは滑車やワイヤーロープを使用し、場面を変える時や不使用時には駆動源で上方に巻き上げることにより格納するようにしたものがある（例えば特許文献１）。
【０００３】
ところが、こうした背景幕の場合、使用時に風や振動で揺れやすく、リアリティにかける問題がある上、演劇上必要な戸や窓を形成することができないという問題があり、こうした場合には別にセットを必要とする。
そこで、パネルにこうしたセットを形成したものを使用することにより、上記問題を解消することができる。
【特許文献１】特開平６−１４２３４４号公報
【発明の開示】
【発明が解決しようとする課題】
【０００４】
ところが、パネルにセットを形成したものを演者の背景として舞台装置に使用する場合、場面を変える時や不使用時には、背景に付帯する装置も備えておることから、その上方に当該パネルの大きさ以上の収納空間を必要とする。
したがって、背景の収納空間として非常に大きなスペースが必要とするという問題があった。
【０００５】
そこで、パネル状の舞台装置を複数舞に分割し、これを前後に配置し、収納時には前後に並べた状態で収納することも考えられるが、こうした場合、使用時には下方のパネル部分が後ろ側に位置し、垂直な状態にならず、舞台装置のデザインにも制限を受けるという問題があった。
本発明な上記問題点に鑑み提案されたものであって、使用時には略フラットにできると
ともに、小スペースに収納することができる舞台装置を提供できるようにすることを目的とするものである。
【課題を解決するための手段】
【０００６】
上記目的を達成するために本発明にかかる複数パネルからなる舞台装置は、使用時に上下に配設される複数のパネルからなり、下方のパネルの上端部が、上方のパネルの裏面に設けられたガイドレールに案内されて昇降するスライダに連結され、下方のパネルが上方のパネルの裏面側を昇降操作可能に構成し、下方のパネルが所定の下方位置若しくはその近傍に下降するのに伴って、当該下方のパネルをその表面が上方のパネルの表面と面一となる方向に移動させるとともに、下方のパネルが所定の下方位置から上方の収納位置に上昇するのに先立って、下方のパネルを上方のパネルの裏面側に移動させる移動機構を設けたこと最も主要な特徴とするものである。
【０００７】
また、本発明の複数パネルからなる舞台装置では、ガイドレールを摺動するスライダに形成された枢支部に上端部分が枢支され、この枢支部を回動中心として揺動する揺動アームと、この揺動アームを揺動操作する操作具と、駆動装置で繰り出し若しくは巻取りされることにより操作具を介して下方のパネルを昇降させる昇降索条とを備え、揺動アームの下端部分を下方パネルの上端部若しくはその近傍部分に連結するとともに、揺動アーム以下の重心が、揺動アームの上端部分を枢支する軸受け部の中心からの垂線よりも上方のパネルの裏面から離反方向に偏寄して位置するように形成して移動機構を構成したことも特徴とするものである。
【０００８】
さらに、本発明の複数パネルからなる舞台装置では、ガイドレールを摺動するスライダに形成された枢支部に上端部分が枢支され、この枢支部を回動中心として揺動する揺動アームと、この揺動アームを揺動操作する操作具と、駆動装置で繰り出し若しくは巻取りされることにより操作具を介して下方のパネルを昇降させる昇降索条とを備え、下方のパネルの裏面に並設された揺動アームの上端部分同士を連結固定する回動軸をスライダの軸受け部に回動可能に枢支させるとともに、回動軸に後方の斜め上方に向けて操作用ブラケットを設け、この操作用ブラケットの上端に索条を連結して移動機構を構成したことも特徴とする。
【発明の効果】
【０００９】
本発明にかかる複数パネルからなる舞台装置によれば、使用時には上下に配設された複数のパネルで略1つの垂直面となり、収納時には下方のパネルが上方のパネルの裏面に移動した後、上昇し上方のパネルとともに収納されるようにしてあるので、使用時には1枚のパネルとして使用することができる。
【００１０】
これにより、使用の際、従来のような舞台装置のデザインにも制限を受けることもなく、その自由度を大幅に向上させることができる。
また、パネルの収納時には複数のパネルが前後に並べられた状態で収納されるので、収納スペースの高さは略その枚数分の低い高さで済み、舞台の上方に形成される収納スペースを可及的に小さなものにすることができるという利点がある。
【発明を実施するための最良の形態】
【００１１】
本発明にかかる複数パネルからなる舞台装置を図面に基づいて説明する。
【実施例１】
【００１２】
以下、図面を参照して本発明の実施例を説明する。図１は舞台の裏面（観客とは逆の側）から見た図であって、図中符号１は、舞台装置を全体的に示す。
この舞台装置１は、駆動装置２とこの駆動装置２で昇降される二枚のパネル３ａ・３ｂとを備えてなる。
上記駆動装置２は二台のモータ４・５とそれぞれの回転を減速機構９ａ・９ｂで減速して二系統の索条６・７を巻き上げ・繰り出しを行う巻き取りリール８ａ・８ｂとを備えてなり、二台のモータ４・５は給電制御装置（図示せず）で駆動制御されるようになっている。
【００１３】
一方、背景等の図柄や障子や引き戸等の小規模なセットが設けられる二枚のパネル３a・３ｂは、上記モータ４・５で回転駆動されるリール８ａ・８ｂの策条６・７の先端部に上下に配設された各パネル３ａ・３ｂの上端部分がそれぞれ連結されている。
即ち、巻き取りリール８ａから繰り出される索条６は複数の滑車１０・１０・・に案内されてその先端が上方のパネル３aの上端に連結され、巻き取りリール８ｂから繰り出される索条７は複数の滑車１１・１１・・に案内されてその先端が下方のパネル３ｂに後述する移動機構１２を介して連結されている。
【００１４】
移動機構１２は、上下に配設されるパネル３ａ・３ｂの内、上方のパネル３aの裏面には図２に示すようにスライダ１３を昇降可能に備えたガイドレール１４を上下に設け、スライダ１３の扁平面に軸受け部１５を設け、この軸受け部１５に勾玉若しくはL型の揺動アーム１６の上端部分に設けられたシャフト（枢支軸）１７を回動可能に枢支し、下端部を下方のパネル３ｂの上端部分に回動可能に連結するとともに、揺動アーム１６の曲がり部分同士を連結するシャフト１７に上記索条７がブラケット(揺動操作具)１８を介して連結されている（図２及び図３参照）。
【００１５】
また、この揺動アーム１６の曲がり部分同士を連結するシャフト１７によりブラケット１８並びに下方の重心Ｇが、図３に示すように揺動アーム１６の曲がり部分と、下方パネル３ｂの連結部２０との間でスライダ１３の扁平面に設けた軸受け部１５の中心からの垂線２１よりも図３上右方（上方のパネル３ａの裏面から離反方向）に偏寄して位置するように形成することが望ましい。
【００１６】
尚、図２２中符号はガイドレール１４の下端部近傍に形成されたスライダ１３の下限規制用のストッパであり符号２３は移動制限用プレートである。
斯くして、重心Ｇが軸受け部１５の中心からの垂線２１よりも偏寄する位置に形成されると、スライダ１３が下限規制用のストッパ２２に受け止められた後、さらに索条７が繰り出されると、上記重心Ｇが揺動アーム１６の軸受け部１５の中心からの垂線上に位置すべく図上時計方向に回動して下方のパネル３ｂが上方のパネル３aの表面側に位置するように押し出される。
【００１７】
上記のように形成された本発明にかかる複数パネル３ａ・３ｂからなる舞台装置１の作用を次に説明する。
先ず、舞台の背景として使用する場合、二枚のパネル３ａ・３ｂを上下に配置し、表面に模様やセットが設けられた上下のパネル３ａ・３ｂをその表面が略面一にした状態で使用する（図参照）。
【００１８】
次に、場面を変えるためにこれまで使用していた背景を別のものに変更する場合は、モータ５を駆動してリール８ｂを回動させて索条７を巻き上げる。
図４（Ａ）の状態から索条７が巻き上げられると、ガイドレール１４とスライダ１３との摺動抵抗により揺動アーム１６が軸受け部１５に受け止められた上端部分を回動中心として反時計回り方向に回動する（図３及び図４（Ａ）参照）。
こうして揺動アーム１６の反時計回りの回動により、下方のパネル３ｂが図上右方（上方のパネル３aの裏面側）に移動される。
【００１９】
しかる後、索条７が連続して巻上げられることにより、スライダ１３がガイドレール１４に案内されて上昇するので、図３に示すように下方のパネル３ｂが上方のパネル３aの裏面側を上昇してゆく。
下方のパネル３ｂが上昇したのを図外の検出装置が検出すると、索条６が索条７と同速度で巻き上げられるので、上下のパネル３ａ・３ｂは前後に並べられた状態で、図１及び図４（Ｂ）上二点鎖線で示す上方の収納位置に上昇して収納される。
【００２０】
尚、前記下方のパネル３ｂが上昇したのを検出する検出装置としてはガイドレール１４の上端部分にリミットスイッチを設け、スライダ１３の上昇でリミットスイッチを操作したり、索条６の巻き上げ量を検出して所定巻き取り量になると上方のパネル３aを上昇させるようにすることができる。
そして、上下のパネル３ａ・３ｂを収納位置から降下させた使用位置にするには、モータを駆動させて収納位置にある上下のパネル３ａ・３ｂを同速度で降下させ、上方のパネル３aが所定の位置になると索条６の繰り出しを停止する。
【００２１】
索条７はそのまま繰り出されるとスライダ１３がガイドレール１４に案内され下方のパネル３bが下降してゆく。
スライダ１３がガイドレール１４に設けられた下限規制用のストッパ２２に受け止められて、下方のパネル３ｂの降下が停止した後、引き続き索条７が繰り出されると、揺動アーム１６が軸受け部１５に受け止められた上端部分を回動中心として時計回り方向に回動する（図３参照）。
【００２２】
この揺動アーム１６の時計回り方向への回動により、下方のパネル３ｂが図上左方（上方のパネル３aの表面側）に移動され、下方のパネル３ｂの表面が移動制限用プレート２３に当接すると上下のパネル３ａ・３ｂはその表面が面一になる。
上下のパネル３ａ・３ｂの表面が面一になったのを検出装置で検出して索条の繰り出しを停止すると、パネル３ａ・３ｂの下降工程が終了する。
【実施例２】
【００２３】
本例にかかる複数パネルからなる舞台装置１は、上記実施例１における移動機構の揺動アーム１６部分を図５に示すように変更したものである。
即ち、上方のパネル３aの裏面に設けたガイドレール１４を摺動するスライダ１３の扁平面に軸受け部１５を設け、上記実施例１と同様に揺動アーム１６を勾玉若しくはL型に形成し、下方のパネル３bの裏面に並設された揺動アーム１６の上端部分同士を連結する回動軸２５を、前記軸受け部１５に回動可能に枢支させ、揺動アーム１６の下端部を下方のパネル３ｂの上端部分に回動可能に連結するとともに、回動軸２５に後方の斜め上方に向けて取り付けられた操作用ブラケット（操作具）１８の上端に索条７を連結して構成したものである。
【００２４】
本例では、収納する時、索条７の上昇で操作用ブラケット１８が上方に揺動されることにより、下方のパネル３ｂが上方のパネル３aの裏面側に移動する。
この下方のパネル３ｂの移動は、てこの原理によるもので、操作用ブラケット１８の長さが長いほど軽い力で下方のパネル３ｂを移動させることができる利点がある。
本例でも、揺動アーム１６の曲がり部分同士を連結するシャフト１７により操作用ブラケット１８並びに下方の重心Ｇが、図５に示すように、下方のパネル３ｂの連結部２０との間でスライダ１３の扁平面に設けた軸受け部１５の中心からの垂線２１よりも図示の如く右方に偏寄する位置に形成することが望ましい。その他の構成は上記実施例１と同様である。
【００２５】
斯くして、重心Ｇがた軸受け部１５の中心からの垂線２１よりも偏寄する位置に形成されると、スライダが１３下限規制用のストッパ２２に受け止められた後もさらに索条７が繰り出されると、上記重心Ｇが前記垂線２１上に位置すべく揺動アーム１６が図上時計回り方向に回動して下方のパネル３ｂが上方のパネル３aの表面側に位置するように押し出される。
尚、上記各実施例では、パネルを上下二枚としてあるが、こうしたものに限られず、三枚以上のパネルにすることができるのは言うまでもないことである。
【図面の簡単な説明】
【００２６】
【図１】は本発明にかかる複数パネルからなる舞台装置の概略構成図である。
【図２】は本発明にかかる複数パネルからなる舞台装置の揺動アーム部分の斜視図である。
【図３】は本発明にかかる複数パネルからなる舞台装置の揺動アーム部分の側面図である。
【図４】は本発明にかかる複数パネルからなる舞台装置の作動説明図である。
【図５】は本発明にかかる複数パネルからなる舞台装置の揺動アーム部分の変形例を示す側面図である。
【符号の説明】
【００２７】
１・・・複数パネルからなる舞台装置。
３ａ・３ｂ・・・パネル
１２・・・移動機構
１３・・・スライダ
１４・・・ガイドレール
１５・・・軸受け部
１６・・・揺動アーム
１８・・・操作用ブラケット
２２・・・下限規制用のストッパ
Ｇ・・・重心
【図１】
2006116175.tif 000003
【図２】
2006116175.tif 000004
【図３】
2006116175.tif 000005
【図４】
2006116175.tif 000006
【図５】
2006116175.tif 000007